(57)【要約】【課題】信頼性の高い使い勝手の良い番組録画の予約機能を実現できる電子機器および録画予約番組の情報記録管理方法を提供することを課題とする。【解決手段】制御部１１は、自動記録要求２０２と自動記録時間設定要求２０３を受け付けると、その要求に従い、上記予約記録要求２０１に従う予約記録データ２１１に加え、前方予備データ２１２および後方予備データ２１３を併せてデータ記録部１３に記録する。記録データの出力時に於いて、予約記録フラグ２１ａをもつコンテンツデータを出力し、自動記録フラグ２１ｂ，２１ｃをもつコンテンツデータは出力しない。【選択図】    図１
2005217910.tif 000002
【特許請求の範囲】
【請求項１】
外部装置から送信されるコンテンツを予約情報に基づいて記憶部に記憶する記憶手段を有する録画再生装置において、
前記予約情報に基づいて前記記憶部に記憶される第１のコンテンツおよび前記第1のコンテンツが記憶される時間帯よりも後の時間に外部装置から送信される第２のコンテンツを前記記憶部に記憶する記憶手段と、
前記記憶手段によって記憶されたコンテンツを再生する再生手段と、
を具備することを特徴とする請求項１記載の録画再生装置。
【請求項２】
前記再生手段は前記第１のコンテンツを再生した後、前記第２のコンテンツを再生しない手段を含むことを特徴とする請求項１記載の録画再生装置。
【請求項３】
前記記憶手段は前記第1のコンテンツが記憶される時間帯よりも前の時間に外部装置から送信される第3のコンテンツを前記記憶部に記憶する手段を含むことを特徴とする請求項１記載の録画再生装置。
【請求項４】
前記再生手段は前記第３のコンテンツを再生せずに、前記第１のコンテンツを再生し、前記第2のコンテンツを再生しない手段を含むことを特徴とする請求項３記載の録画再生装置。
【請求項５】
前記記憶手段によって前記記憶部に記憶されたコンテンツを選択する選択手段をさらに有し、
前記再生手段は、前記選択手段によって選択された前記コンテンツを再生する手段を含むことを特徴とする請求項１記載の録画再生装置。
【請求項６】
前記記憶手段によって前記記憶部に記憶されたコンテンツに該コンテンツの識別情報を付加する付加手段と、
前記付加手段によってコンテンツに付加された前記識別情報に基いて、前記コンテンツを選択する選択手段とをさらに有し、
前記再生手段は、前記選択手段によって選択された前記コンテンツを再生する手段を含むことを特徴とする請求項１記載の録画再生装置。
【請求項７】
前記第1のコンテンツを前記記憶部から削除する際に前記第2のコンテンツを削除する削除手段をさらに有することを特徴とする請求項１記載の録画再生装置。
【請求項８】
前記第1のコンテンツを前記記憶部から削除する際に前記第2のコンテンツおよび前記第3のコンテンツを削除する削除手段をさらに有することを特徴とする請求項３記載の録画再生装置。
【請求項９】
前記記憶部に前記第2のコンテンツを記憶する時間を設定する設定手段をさらに有することを特徴とする請求項１記載の録画再生装置。
【請求項１０】
前記記憶部に前記第3のコンテンツを記憶する時間を設定する設定手段をさらに有することを特徴とする請求項３記載の録画再生装置。
【請求項１１】
外部装置から送信されるコンテンツを予約情報に基づいて記憶部に記憶する記憶手段を有する録画再生装置におけるコンテンツ管理方法において、
予約情報に基づいて前記記憶部に記憶される第１のコンテンツおよび前記第1のコンテンツが記憶される時間帯よりも後の時間に外部装置から送信される第２のコンテンツを前記記憶部に記憶することを特徴とするコンテンツ管理方法。
【請求項１２】
前記第1のコンテンツが記憶される時間帯よりも前の時間に外部装置から送信される第3のコンテンツを前記記憶部に記憶することを特徴とする請求項１１記載のコンテンツ管理方法。
【請求項１３】
外部装置から送信されるコンテンツを予約情報に基づいて記憶部に記憶する記憶手段と前記記憶手段によって前記記憶部に記憶されたコンテンツを再生する再生手段とを有する録画再生装置におけるコンテンツ再生方法において、
予約情報に基づいて前記記憶部に記憶される第１のコンテンツおよび前記第1のコンテンツが記憶される時間帯よりも後の時間に外部装置から送信される第２のコンテンツを前記記憶部に記憶し、
前記再生手段によって前記第１のコンテンツを再生した後、前記第２のコンテンツを再生しないことを特徴とするコンテンツ再生方法。
【請求項１４】
前記第1のコンテンツが記憶される時間帯よりも前の時間に外部装置から送信される第3のコンテンツを前記記憶部に記憶し、
前記再生手段によって前記第3のコンテンツを再生せずに、前記第1のコンテンツを再生することを特徴とする請求項１３記載のコンテンツ再生方法。
【発明の詳細な説明】
【技術分野】
【０００１】
本発明は、例えばテレビジョン放送番組等の情報をデジタル記録する記録機能を備えた録画再生装置、同装置のコンテンツ管理方法およびコンテンツ再生方法に関する。
【背景技術】
【０００２】
テレビジョン放送番組等の情報を対象とした予約録画や予約録音等の機能をもつ機器に於いては、ユーザーが設定した番組予約について、ユーザーが意図した時間帯の情報を記録できても、ユーザーが意図した放送番組のすべてを記録できない場合があった。ユーザーが意図した放送番組のすべてを記録できない事象が発生する要因として、放送番組の編成の都合上、放送予定時間が変更になった場合、機器に内蔵された時計の時間にずれがある場合等を挙げることができる。この問題を解決するため、種々の提案がなされている。
【０００３】
しかしながら従来では上記問題点を解消するための信頼性の高い使い勝手の良い手段が存在しなかった。
【特許文献１】特開２００３−２３４９８６
【発明の開示】
【発明が解決しようとする課題】
【０００４】
上述したように従来では、ユーザーが意図した放送番組のすべてを記録できない不具合を解消するための信頼性の高い使い勝手の良い手段が存在しなかった。
【０００５】
本発明は上記実情に鑑みなされたもので、信頼性の高い使い勝手の良い番組録画の予約機能を実現できる録画再生装置、コンテンツ管理方法およびコンテンツ再生方法を提供することを目的とする。
【課題を解決するための手段】
【０００６】
本発明は、外部装置から送信されるコンテンツを予約情報に基づいて記憶部に記憶する記憶手段を有する録画再生装置において、前記予約情報に基づいて前記記憶部に記憶される第１のコンテンツおよび前記第1のコンテンツが記憶される時間帯よりも後の時間に外部装置から送信される第２のコンテンツを前記記憶部に記憶する記憶手段と、前記記憶手段によって記憶されたコンテンツを再生する再生手段とを具備することを特徴とする。
【０００７】
また、本発明は、外部装置から送信されるコンテンツを予約情報に基づいて記憶部に記憶する記憶手段を有する録画再生装置におけるコンテンツ管理方法において、予約情報に基づいて前記記憶部に記憶される第１のコンテンツおよび前記第1のコンテンツが記憶される時間帯よりも後の時間に外部装置から送信される第２のコンテンツを前記記憶部に記憶することを特徴とする。
【０００８】
また、本発明は、外部装置から送信されるコンテンツを予約情報に基づいて記憶部に記憶する記憶手段と前記記憶手段によって前記記憶部に記憶されたコンテンツを再生する再生手段とを有する録画再生装置におけるコンテンツ再生方法において、予約情報に基づいて前記記憶部に記憶される第１のコンテンツおよび前記第1のコンテンツが記憶される時間帯よりも後の時間に外部装置から送信される第２のコンテンツを前記記憶部に記憶し、前記再生手段によって前記第１のコンテンツを再生した後、前記第２のコンテンツを再生しないことを特徴とする。
【発明の効果】
【０００９】
信頼性の高い使い勝手の良い番組録画の予約機能を実現できる。
【発明を実施するための最良の形態】
【００１０】
以下図面を参照して本発明の実施形態を説明する。
【００１１】
先ず図１乃至図３を参照して本発明の実施形態に於ける概要を説明する。
【００１２】
図１に示す電子機器は、制御部１１と、データ記録部１３とを有して構成される。制御部１１にはタイマ部１２が設けられている。
【００１３】
制御部１１は、ユーザーの設定に基づく予約記録要求２０１を受け付け、タイマ部１２による時間管理の下に、制御信号２０６によりデータ記録部１３にアクセスして、データ記録部１３に、予約に従う入力データ２０４を記録する。また制御部１１はユーザーの設定に基づく出力要求（図示せず）を受け付けて、データ記録部１３から要求された録画番組のデータを読み出し、その出力データ２０５をユーザーに提供する。
【００１４】
この実施形態では、ユーザーの指示に従い、上記予約記録要求２０１に従うデータの記録時に、当該データの前後のデータを含めて記録する。
【００１５】
この際、制御部１１は、自動記録要求２０２と自動記録時間設定要求２０３を受け付けると、その要求に従い、上記予約記録要求２０１に従うデータに加えて、自動記録時間設定要求２０３が指定した時間分だけその前後のデータを併せて記録する。
【００１６】
ここで、上記予約記録要求２０１に従い記録したデータを予約記録データと称し、その前後のデータのうち、前部のデータを前方予備データと称し、後部のデータを後方予備データと称す。また、上記予備データの有無に関係なく予約した番組を単位とする記録データを番組録画データ（ＲＤ）と称す。
【００１７】
制御部１１は、上記各データを記録する際、予約記録データと、前方予備データおよび後方予備データとに、それぞれ固有の識別フラグを付加する。ここでは、予約記録データ２１１に当該データに固有の識別フラグ２１ａを付し、前方予備データ２１２および後方予備データ２１３に、それぞれ自動的にバックアップデータとして取得したデータ（予備データ）であることを示す識別フラグ２１ｂ，２１ｃを付す。この際、識別フラグ２１ｂと識別フラグ２１ｃは同値であっても異なる値であってもよい。例えば前方予備データ２１２と後方予備データ２１３とを別々にユーザに提供可能にする機能を実現する場合は識別フラグ２１ｂと識別フラグ２１ｃをそれぞれ異なる値にする。また、前方予備データ２１２と後方予備データ２１３とを同時にユーザに提供可能にする機能を実現する場合は識別フラグ２１ｂと識別フラグ２１ｃを同値にしてもよい。これらの各識別フラグ２１ａ，２１ｂ，２１ｃは制御データ２０７として制御部１１からデータ記録部１３に渡され、コンテンツデータに対応付けられてデータ記録部１３に記録される。
【００１８】
この際の識別フラグ２１ａ，２１ｂ，２１ｃの付加の一例を図２に示している。ここでは、予約記録時間に従う時間帯の予約記録データ２１１、前方予備データ２１２、後方予備データ２１３のそれぞれについて、所定単位のコンテンツデータブロック毎に、そのヘッダ部に識別フラグ２１ａ，２１ｂ，２１ｃを記録する。ここでは予約記録データ２１１に付した識別フラグ２１ａを予約記録フラグと称し、前方予備データ２１２および後方予備データ２１３に付した識別フラグ２１ｂ，２１ｃを自動記録フラグと称している。尚、図２に示すデータ記録例は、上記自動記録時間設定要求２０３が示す自動記録時間（帯）を３０分とした場合の前方予備データ２１２および後方予備データ２１３の記録例を示している。
【００１９】
また、上記自動記録要求２０２、自動記録時間設定要求２０３等に関わる自動記録のＯＮ／ＯＦＦ（有効／無効）、自動記録時間等を設定するためのグラフィックユーザインタフェース画面（自動記録設定画面）の一例を図３（ａ）に示し、上記予約記録要求２０１に関わる録画予約を設定するためのグラフィックユーザインタフェース画面（録画予約設定画面）の一例を図３（ｂ）に示している。尚、この実施形態では、上記図３（ａ）に示すグラフィックユーザインタフェース画面（自動記録設定画面）の設定内容が図３（ｂ）に示すグラフィックユーザインタフェース画面（録画予約設定画面）で設定したすべての録画予約番組に反映される場合を例に示しているが、録画予約番組の設定毎に、上記図３（ａ）に示すグラフィックユーザインタフェース画面を用いて、前方予備データ２１２および後方予備データ２１３を自動記録するか否かの設定、並びに自動記録する場合の各時間帯の設定を行うことも可能である。この際は、設定した各録画予約番組毎に、上記図３（ａ）に示すグラフィックユーザインタフェース画面を用いて設定した自動記録の内容を保持しておく必要がある（後述する図４に示す自動記録設定テーブル１３２参照）。また上記図３（ａ）に示すグラフィックユーザインタフェース画面に於ける設定操作の例としては、前方予備データ２１２および後方予備データ２１３を自動記録するか否かの設定に関して、例えば自動記録する（ＯＮ）／しない（ＯＦＦ）のボタン操作をリモートコントローラのポインティング操作（上下左右）キーによるマウス（図示せず）の指示操作で行ってもよいし、または、ユーザーの所定キー操作で上記図３（ａ）に示すグラフィックユーザインタフェース画面上のＯＮボタン、ＯＦＦボタンを交互に選択対象として切り替え、決定キー等の操作でそのいずれかを選択（決定）する入力方法等であってもよく、要はユーザーが前方予備データ２１２および後方予備データ２１３を自動記録するか否かを設定できるＧＵＩであればよい。また、前方予備データ２１２および後方予備データ２１３の自動記録時間（帯）の設定に関しても、例えばモートコントローラの操作により３０分単位でスクロール切り替えして所望の単位時間を設定する方法、または数値キー等により任意の時間を設定する方法等であってもよく、要はユーザーが前方予備データ２１２および後方予備データ２１３の時間を設定できるＧＵＩであればよい。尚、ここでは前方予備データ２１２の時間帯と後方予備データ２１３の時間帯とを別々に設定可能とした画面構成を例に示しているが、一つの自動記録時間の設定フィールドにより前方予備データ２１２の時間帯と後方予備データ２１３の時間帯とを同時に設定する簡易化した画面構成であってもよい。尚、図３（ｂ）に示すグラフィックユーザインタフェース画面の構成例では、録画モードの設定フィールドで、例えば高画質／標準／長時間等の各種録画モードから所望の録画モードをスクロール操作で選択し設定すると、その設定がデータ記録部１３の記録残量に反映される画面構成例を示している。
【００２０】
制御部１１は、データ記録部１３に記録した各種録画番組の中から、ユーザーの指示に従う、ある番組の出力（再生）要求を受けると、その要求に従う番組の記録データをデータ記録部１３から読み出し、出力データ２０５としてユーザーに提供する。この際、制御部１１は、コンテンツデータから識別フラグ２１ａ，２１ｂ，２１ｃを抽出し、図２に示す予約記録フラグ２１ａをもつコンテンツデータを出力し、自動記録フラグ２１ｂ，２１ｃをもつコンテンツデータは出力しない。従って、ユーザーには、予約に従う時刻並びに時間帯の記録データが渡される。
【００２１】
この際、例えば機器に内蔵された時計のズレや、番組放送時間の変更等によって、ユーザーが意図した予約記録時間とユーザーが目的とした記録内容にずれが生じ、そのずれにより意図する記録データの一部が欠落していた場合、ユーザが自動設定の出力要求を行う。制御部１１はこの自動設定の出力要求を受けると、上記自動記録フラグ２１ｂ，２１ｃをもとに上記一部が欠落している予約記録データ２１１の前方予備データ２１２および後方予備データ２１３をデータ記録部１３から読み出し、出力データ２０５としてユーザーに提供する。これによって、ユーザーは上記予約記録データ２１１の欠落部分を補うことができる。
【００２２】
また、制御部１１は、ユーザーから、録画した番組を指定して記録データの削除要求を受けると、その要求に従う記録データをデータ記録部１３から消去する。この際、制御部１１は上記自動記録フラグ２１ｂ，２１ｃをもとに指定された予約記録データ２１１に加え、その前後の前方予備データ２１２および後方予備データ２１３を併せて消去する。即ち、記録データの消去に関しては前方予備データ２１２および後方予備データ２１３を含めた番組録画データ（ＲＤ）を単位に記録データを消去する。
【００２３】
このようなデータ記録制御機能をもつことで、機器に内蔵された時計のズレや、番組放送時間の変更等によって、ユーザーが意図した予約記録時間とユーザーが目的とした記録内容にずれが生じた場合に、そのずれにより欠落した部分の情報を容易に取得し再生することができる。
【００２４】
次に、図４乃至図６を参照して上記実施形態をより具現化した機器の構成並びに動作を説明する。
【００２５】
上記図１に示す機器の構成をより具現化した構成例を図４に示している。ここではマルチメディア記録再生装置の機器構成を例に示している。
【００２６】
マルチメディア記録再生装置１には、上記図１に示す制御部１１を実現するＣＰＵ１０１およびその周辺要素、図１に示す入力データ１０４に相当する録画の対象となるデータを取得可能なテレビジョン（ＴＶ）チューナ１０８およびその周辺要素、図１に示すデータ記録部１３に相当する、録画予約した番組のデータを記録するハードディスクドライブ装置（ＨＤＤ）１０５およびその周辺要素等が設けられる。
【００２７】
ＣＰＵ１０１は、このマルチメディア記録再生装置１全体の制御を司り、ノースブリッジ１０２を介して主メモリ１０３をアクセス制御し、主メモリ１０３に格納された各種プログラムを実行する。この主メモリ１０３には、このマルチメディア記録再生装置１のユーザインタフェースの一部を担う画面制御プログラムの他に、図１乃至図３を参照し上述したような録画予約の設定並びに自動録画の設定機能とその設定に従う各データの管理および制御機能を実現する処理ルーチンを含む録画制御プログラム１３１と、当該録画制御プログラム１３１が参照する自動記録設定テーブル１３２が格納される。録画制御プログラム１３１の本発明の実施形態に係る処理ルーチン（自動録画処理ルーチンと称す）については、その処理手順を図６を参照して後述する。自動記録設定テーブル１３２には図３（ａ）に示したようなグラフィックユーザインタフェース画面を用いて設定された、自動記録のＯＮ／ＯＦＦ、自動記録時間等の設定内容が保持される。尚、ここでは説明を簡素にするため、自動記録設定テーブル１３２の設定内容が、ハードディスクドライブ装置（ＨＤＤ）１０５に記録される録画データのすべてに反映されるものとする。尚、上記録画制御プログラム１３１には、上記図３（ａ）に示したようなグラフィックユーザインタフェース画面を用いたＧＵＩ機能並びにその設定内容に従う自動記録設定テーブル１３２の作成機能を実現する処理ルーチンも含んでいる。
【００２８】
ノースブリッジ１０２には、さらにサウスブリッジ１０４が接続されており、ＣＰＵ１０１や主メモリ１０３は、ノースブリッジ１０２およびサウスブリッジ１０４を経由してシステムバスに接続されている。また、このサウスブリッジ１０４は、ハードディスクドライブ装置（ＨＤＤ）１０５や光ディスクドライブ装置（ＯＤＤ）１０６など、様々な周辺装置を駆動制御する。テレビ番組表データ、ビデオデータ、音楽データおよび写真データ等は、このＨＤＤ１０５やＯＤＤ１０６に記録される。さらにサウスブリッジ１０４には、図１に示すタイマ部１２に相当する時計モジュール（ＲＴＣ）が設けられ、録画予約の実行制御、自動記録の実行制御等に供される。
【００２９】
屋上などに設置されるＴＶアンテナは、ＴＶアンテナコネクタ１０７を介してマルチメディア記録再生装置１と接続され、このＴＶアンテナコネクタ１０７から入力されたＴＶ放送信号は、ＴＶチューナ１０８へ転送される。ＴＶチューナ１０８は、リモートコントローラ（図５参照）またはＬＡＮ経由のパーソナルコンピュータ等から視聴要求されたチャンネルのＴＶ放送番組データを受信するためのものであり、この視聴要求に基づき、ＴＶ放送信号の受信およびチャンネル選択を行う。
【００３０】
ＴＶチューナ１０８によって受信された、あるチャネルのＴＶ放送番組データのビデオ信号は、ＮＴＳＣデコーダ１０９に送られ、デジタルデータへの変換処理が施される。また、オーディオ信号は、音声多重デコーダ１１０からオーディオＡ／Ｄコンバータ１１１へ送られデジタル信号へ変換される。ＴＶチューナ１０８とオーディオＡ／Ｄコンバータ１１１との間に介在する音声多重デコーダ１１０は、ＴＶ放送番組データに重畳されている副音声などの音声多重信号の復調を必要に応じて実行するものである。
【００３１】
ＮＴＳＣデコーダ１０９は、ビデオ入力端子１１６にも接続されており、例えばＤＶＤプレイヤなどの外部のビデオ機器からビデオ信号を入力することもできる。また、オーディオＡ／Ｄコンバータ１１１も、オーディオ入力端子１１７にも接続されており、外部のオーディオ（ビデオ）機器からオーディオ信号を入力することもできる。
【００３２】
ＭＰＥＧエンコーダ１１２は、入力されたビデオおよびオーディオデータをそれぞれ圧縮符号化する。この圧縮符号化にはＭＰＥＧ２が用いられている。ＴＶチューナ１０８によって受信されたＴＶ放送番組データは、このＭＰＥＧエンコーダ１１２によって圧縮符号化されてＭＰＥＧ２ストリームに変換される。この圧縮符号化されたＴＶ放送番組データは、ＴＶ装置２による視聴の場合はＭＰＥＧデコーダ１１３に、ＬＡＮ経由のパーソナルコンピュータ等による視聴の場合は後述する制御プロセッサ１２０に、ビデオ録画の場合はハードディスクドライブ装置（ＨＤＤ）１０５にそれぞれ転送される。
【００３３】
一方、ＭＰＥＧデコーダ１１３は、ＭＰＥＧ２形式に圧縮符号化されたＴＶ放送番組データを復号する。例えばハードディスクドライブ装置（ＨＤＤ）１０５に記録されている圧縮符号化されたＴＶ放送番組データをＴＶ装置２で視聴する場合には、ハードディスクドライブ装置（ＨＤＤ）１０５から読み出された、圧縮符号化されたＴＶ放送番組データがＭＰＥＧデコーダ１１３に送られて復号される。
【００３４】
ＭＰＥＧデコーダ１１３によって復号されたビデオデータは、グラフィックス部１１５を経由した後、ビデオ出力端子１１９を介してＴＶ装置２に送られ、また、同じくＭＰＥＧデコーダ１１３によって復号されたオーディオデータは、オーディオＤ／Ａコンバータ１１４にてアナログ信号に変換された後、オーディオ出力端子１１８を介してＴＶ装置２に送られる。グラフィックス部１１５は、ＭＰＥＧデコーダ１１３によって復号されたビデオデータにＣＰＵ１０１が作成した画像データを重畳させることができる。
【００３５】
ＷＡＮコネクタ１２２は、インターネットとの間のデータ送受信に用いられる端子であり、一方、ＬＡＮコネクタ１２３は、ＬＡＮとの間のデータ送受信に用いられる端子である。ネットワークコントローラ１２１は、ＷＡＮコネクタ１２２を介したインターネットとの間のデータ送受信と、ＬＡＮコネクタ１２３を介したＬＡＮとの間のデータ送受信とを制御するネットワーク制御デバイスである。そして、制御プロセッサ１２０は、このネットワークコントローラ１２１を、ＣＰＵ１０１からの指示に応じて駆動制御するものである。
【００３６】
赤外線受信部１２４は、リモートコントローラ（図５参照）３が送出する赤外線信号を受信し、その赤外線信号が示す操作内容をＣＰＵ１０１に伝達する。より具体的には、赤外線信号の受信時、赤外線受信部１２４は、その操作情報を内蔵レジスタに格納するとともに、ＣＰＵ１０１に対する割り込みを発生させ、この割り込みに応答してＣＰＵ１０１が内蔵レジスタの参照を要求してきたら、その操作情報をシステムバスに出力する。
【００３７】
このように構成されたマルチメディア記録再生装置１の遠隔操作に用いるリモートコントローラの外観構成並びに操作ボタンの構成例を図５に示している。このリモートコントローラに設けられた「ＰＯＷＥＲ」ボタンを操作することによりマルチメディア記録再生装置１の電源をオン／オフ制御できる。「ＬＩＶＥ」ボタンおよび「ＣＨＡＮＮＥＬ」ボタンを操作することにより任意のチャンネルのＴＶ試聴が可能となる。「ＶＩＤＥＯ」ボタンを操作することにより録画予約した番組の鑑賞が可能となる。「ＭＥＮＵ」ボタンｂ７を操作することにより上記した図３（ａ），（ｂ）に示すような設定画面を含む各種のメニュー画面を選択してＴＶ画面上に表示することができる。
【００３８】
また、上下左右の方向指示ボタンｂ３〜ｂ６と「ＥＮＴＥＲ」ボタンｂ８、さらには数字ボタン等を用いて、図３（ａ）に示したようなグラフィックユーザインタフェース画面（録画予約設定画面）上での自動記録設定が可能となる。例えば方向指示ボタンｂ５，ｂ６を操作して自動記録のＯＮ／ＯＦＦを切り替え、ＯＮまたはＯＦＦを選択した後、「ＥＮＴＥＲ」ボタンｂ８を操作することにより、自動記録のＯＮ／ＯＦＦを選択し決定（確定）することができる。また、方向指示ボタンｂ３〜ｂ６、「ＥＮＴＥＲ」ボタンｂ８、数字ボタン、「ＣＨＡＮＮＥＬ」ボタン等を用いて、図３（ｂ）に示すようなグラフィックユーザインタフェース画面（録画予約設定画面）上での録画予約の設定が可能となる。
【００３９】
上記グラフィックユーザインタフェース画面（録画予約設定画面）およびグラフィックユーザインタフェース画面（録画予約設定画面）の設定に基づく録画制御プログラム１３１の自動録画処理ルーチンを含む処理手順を図６に示している。
【００４０】
ＣＰＵ１０１は、所定の周期で録画制御プログラム１３１の自動録画処理を含む処理ルーチンを実行する。この処理では、録画予約の設定に基づく予約記録要求（図１符号２０１参照）の有無を所定の周期で判断し（図６ステップＳ１）、録画予約が設定されていない（予約記録要求がない）ときは（図６ステップＳ１  ＮＯ）、再度所定の周期で予約記録要求の有無を判断する。また、録画予約が設定されている（予約記録要求がある）ときは（図６ステップＳ１  ＹＥＳ）、自動記録のＯＮ／ＯＦＦ設定に基づく自動記録要求（図１符号２０２参照）の有無を判断する（図６ステップＳ２）。
【００４１】
ここで自動記録要求がない（自動記録をＯＦＦに設定している）ときは（図６ステップＳ２  ＮＯ）、前方予備データ２１２および後方予備データ２１３の自動記録を行わない既存のシステムと同様の録画予約時間通りのデータ記録が実施される（図６ステップＳ２１〜Ｓ２４）。この処理は、予約記録開始時間になったとき（図６ステップＳ２１  ＹＥＳ）、予約記録を開始し、コンテンツデータに予約記録フラグ２１ａを付して予約に従うデータをハードディスクドライブ装置（ＨＤＤ）１０５に記録する（図６ステップＳ２２）。そして予約終了時間になると（図６ステップＳ２３  ＹＥＳ）、予約したデータの記録を終了する（図６ステップＳ２４）。
【００４２】
また上記自動記録要求の有無判断（図６ステップＳ２）で、自動記録要求がある（自動記録をＯＮに設定している）ときは（図６ステップＳ２  ＹＥＳ）、上記予約記録要求と、設定された自動記録時間に基づく自動記録時間設定要求（図１符号２０３参照）とに従って、前方予備データ２１２の取得を開始する自動記録開始時刻並びに後方予備データ２１３の取得を終了する自動記録終了時刻を算出し、予約前後の自動記録設定時間を設定する（図６ステップＳ３）。
【００４３】
そして自動記録開始時刻になったとき（図６ステップＳ４  ＹＥＳ）、前方予備データ２１２の記録を開始し（図２参照）、コンテンツデータに自動記録フラグ２１ｂを付してその前方予備データ２１２をハードディスクドライブ装置（ＨＤＤ）１０５に記録する（図６ステップＳ５）。その後、予約記録開始時間になると（図６ステップＳ６  ＹＥＳ）、自動記録から予約記録に切り替えてデータ記録を継続し、コンテンツデータに予約記録フラグ２１ａを付して予約に従うデータをハードディスクドライブ装置（ＨＤＤ）１０５に記録する（図６ステップＳ７）。予約終了時間になると（図６ステップＳ８  ＹＥＳ）、予約記録から自動記録に切り替えてデータ記録を継続し、コンテンツデータに自動記録フラグ２１ｃを付して後方予備データ２１３の記録を開始する（図６ステップＳ９）。そして自動記録終了時刻になったとき（図６ステップＳ１０  ＹＥＳ）、後方予備データ２１３の記録を終了する（図６ステップＳ１１）。
【００４４】
このように、自動記録がＯＮに設定された録画予約については、図２に示すように、予約記録データ２１１に前方予備データ２１２および後方予備データ２１３を含んでデータ記録が実施される。
【００４５】
上記自動記録がＯＮに設定された録画予約について、その予約したデータがハードディスクドライブ装置（ＨＤＤ）１０５に記録された後、ユーザーがリモートコントローラの「ＶＩＤＥＯ」ボタン、「ＰＬＡＹ」ボタン等を操作して、その記録データの再生指示を行うと、ＣＰＵ１０１は、その再生要求に応答してハードディスクドライブ装置（ＨＤＤ）１０５から再生要求に従う記録データを読み出し、当該データをＭＰＥＧデコーダ１１３、グラフィックス部１１５、ビデオ出力端子１１９を介してＴＶ装置２に送出する。尚、この際、オーディオデータに関してもＭＰＥＧデコーダ１１３、オーディオＤ／Ａコンバータ１１４、オーディオ出力端子１１８を介してＴＶ装置２に送出される。
【００４６】
上記記録データの出力（再生出力）時に於いて、ＣＰＵ１０１は、コンテンツに付された識別フラグ（２１ａ，２１ｂ，２１ｃ）の内容を判別し、予約記録フラグ２１ａを付した予約記録データ２１１と、自動記録フラグ２１ｂ，２１ｃを付した前方予備データ２１２および後方予備データ２１３とを弁別して、前方予備データ２１２および後方予備データ２１３を出力対象から外し、予約記録データ２１１を出力対象としてＭＰＥＧデコーダ１１３に送出する。従って、通常使用の状態では、予約に従う時間通りの記録データが再生出力される。
【００４７】
この際、再生出力された記録内容について、ユーザーが意図した予約記録時間とユーザーが目的とした記録内容にずれが生じ、そのずれにより意図する記録データの一部が欠落していた場合、ユーザーが自動設定の出力要求を行うことにより、はじめてその欠落部分を含む前方予備データ２１２および後方予備データ２１３をユーザーが取得し再生出力できる。この際は、ＣＰＵ１０１が、自動設定の出力要求をもとに、一部データが欠落した予約記録データ２１１について、その前後の前方予備データ２１２および後方予備データ２１３を抽出し、ＭＰＥＧデコーダ１１３に送出することによってユーザーに予約記録データ２１１の前後の時間帯の記録データ（前方予備データ２１２および後方予備データ２１３）が提供される。この際の前方予備データ２１２および後方予備データ２１３のデータ抽出は、自動記録フラグ２１ｂ，２１ｃをもつコンテンツデータを抽出し、ＭＰＥＧデコーダ１１３に送出することによって実現される。
【００４８】
ＣＰＵ１０１は、ユーザーから、録画した番組を指定して記録データの削除要求を受けると、その要求に従う記録データをハードディスクドライブ装置（ＨＤＤ）１０５から消去する。この際もＣＰＵ１０１は、上記自動記録フラグ２１ｂ，２１ｃをもとに、指定された予約記録データ２１１に加え、その前後の前方予備データ２１２および後方予備データ２１３を併せて消去する。
【００４９】
このようなデータ記録制御機能をもつことで、機器に内蔵された時計のズレや、番組放送時間の変更等によって、ユーザーが意図した予約記録時間とユーザーが目的とした記録内容にずれが生じた場合に、そのずれにより欠落した部分の情報を容易に取得し再生することができる。
【００５０】
尚、本発明は上記実施形態に限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５１】
【図１】本発明の実施形態に係る電子機器の要部の基本構成を示すブロック図。
【図２】本発明の実施形態に係る自動記録データの構成例を示す図。
【図３】本発明の実施形態に係るグラフィックユーザインタフェース画面の構成例を示す図。
【図４】本発明の実施形態に係る電子機器の具体的な構成例を示すブロック図。
【図５】本発明の実施形態に係るリモートコントローラの構成例を示す図。
【図６】本発明の実施形態に係る処理の手順を示すフローチャート。
【符号の説明】
【００５２】
１…マルチメディア記録再生装置、１１…制御部、１２…タイマ部、１３…データ記録部、１０１…ＣＰＵ、１０２…ノースブリッジ、１０３…主メモリ、１０４…サウスブリッジ、１０５…ハードディスクドライブ装置（ＨＤＤ）、１０６…光（磁気）ディスクドライブ装置（ＯＤＤ）、１０７…ＴＶアンテナコネクタ、１０８…ＴＶチューナ、１０９…ＮＴＳＣデコーダ、１１０…音声多重デコーダ、１１１…オーティオＡ／Ｄコンバータ、１１２…ＭＰＥＧエンコーダ、１１３…ＭＰＥＧデコーダ、１１４…オーディオＤ／Ａコンバータ、１１５…グラフィックス部、１１６…ビデオ入力端子、１１７…オーディオ入力端子、１１８…オーディオ出力端子、１１９…ビデオ出力端子、１２０…制御プロセッサ、１２１…ネットワークコントローラ、１２２…ＷＡＮコネクタ、１２３…ＬＡＮコネクタ、１２４…赤外線受信部、１３０…時計モジュール（ＲＴＣ）、１３１…録画制御プログラム、１３２…自動記録設定テーブル、２０１…予約記録要求、２０２…自動記録要求、２０３自動記録時間設定要求、２０４…入力データ、２０５…出力データ、２０６…制御信号、２０７…制御データ、２１１…予約記録データ、２１２…前方予備データ、２１３…後方予備データ、２１ａ…予約記録フラグ（識別フラグ）、２１ｂ，２１ｃ…自動記録フラグ（識別フラグ）。
【図１】
2005217910.tif 000003
【図２】
2005217910.tif 000004
【図３】
2005217910.tif 000005
【図４】
2005217910.tif 000006
【図５】
2005217910.tif 000007
【図６】
2005217910.tif 000008